(57)【要約】【課題】制御表示部により本体の撮影を無線制御することができる無線撮像装置を提供する。【解決手段】無線撮像装置は、本体１及び制御表示部２を備える。本体１は、第１の無線通信ユニット１２と、第１のメモリユニット１３と、撮像ユニット１４と、第１の無線通信ユニット１２、第１のメモリユニット１３及び撮像ユニット１４が電気的に接続された第１の中央処理ユニット１１とを有する。制御表示部２は、第２の無線通信ユニット２２と、第２のメモリユニット２３と、タッチパネル表示ユニット２４と、第２の無線通信ユニット２２、第２のメモリユニット２３及びタッチパネル表示ユニット２４が電気的に接続された第２の中央処理ユニット２１とを有する。制御表示部２と本体１とが接続されているときは、第１の中央処理ユニット１１と第２の中央処理ユニット２１との間で有線方式によりデータを送受信する。【選択図】図３
0003174361.tif 000002
【実用新案登録請求の範囲】
【請求項１】
本体及び制御表示部を備えた無線撮像装置であって、
前記本体が、第１の無線通信ユニットと、第１のメモリユニットと、撮像ユニットと、前記第１の無線通信ユニット、前記第１のメモリユニット及び前記撮像ユニットが電気的に接続された第１の中央処理ユニットとを有し、
前記制御表示部が、第２の無線通信ユニットと、第２のメモリユニットと、タッチパネル表示ユニットと、前記第２の無線通信ユニット、前記第２のメモリユニット及び前記タッチパネル表示ユニットが電気的に接続された第２の中央処理ユニットとを有し、
前記制御表示部と前記本体とが接続されているときは、前記第１の中央処理ユニットと前記第２の中央処理ユニットとの間で有線方式によりデータを送受信し、
前記制御表示部と前記本体とが分離されているときは、前記第１の無線通信ユニットと前記第２の無線通信ユニットとの間で無線方式によりデータを送受信することを特徴とする無線撮像装置。
【請求項２】
前記本体が、第１のハウジングを有し、
前記制御表示部が、第２のハウジングを有し、
前記第１のハウジングには、前記第１の中央処理ユニット、前記第１の無線通信ユニット、前記第１のメモリユニット及び前記撮像ユニットが配置され、
前記第２のハウジングには、前記第２の中央処理ユニット、前記第２の無線通信ユニット、前記第２のメモリユニット及び前記タッチパネル表示ユニットが配置され、
前記本体と前記制御表示部とは、前記第１のハウジング及び前記第２のハウジングにより接続される請求項１に記載の無線撮像装置。
【請求項３】
前記第１のハウジングが、円柱状である請求項２に記載の無線撮像装置。
【考案の詳細な説明】
【技術分野】
【０００１】
本考案は、無線撮像装置に関し、特に、制御表示部により本体を制御しながら撮影を行うことができる無線撮像装置に関する。
【背景技術】
【０００２】
科学技術の進展に伴い、携帯式撮像装置を使用する人が増えている。携帯式撮像装置の一般の機種は、本体及び液晶モニタを有している。ユーザは、本体に枢着された液晶モニタを見ながら撮影することができる。しかし、従来の撮像装置の液晶モニタは、本体から分離し、分離した液晶モニタにより本体の撮影を制御することができない。このため、本体を別の場所に置いた状態で、ユーザが他の場所から液晶モニタを利用して撮影することはできない。その結果、従来の撮像装置の性能は理想的でなかった。
【０００３】
したがって、従来技術の問題点に鑑み、制御表示部により本体を無線制御しながら撮影することができる無線撮像装置が求められていた。
【考案の概要】
【考案が解決しようとする課題】
【０００４】
本考案の目的は、制御表示部により本体を無線制御しながら撮影することができる無線撮像装置を提供することにある。
【課題を解決するための手段】
【０００５】
前記課題を解決するために、本考案の第１の形態によれば、本体及び制御表示部を備えた無線撮像装置であって、前記本体は、第１の無線通信ユニットと、第１のメモリユニットと、撮像ユニットと、前記第１の無線通信ユニット、前記第１のメモリユニット及び前記撮像ユニットが電気的に接続された第１の中央処理ユニットとを有し、前記制御表示部は、第２の無線通信ユニットと、第２のメモリユニットと、タッチパネル表示ユニットと、前記第２の無線通信ユニット、前記第２のメモリユニット及び前記タッチパネル表示ユニットが電気的に接続された第２の中央処理ユニットとを有し、前記制御表示部と前記本体とが接続されているときは、前記第１の中央処理ユニットと前記第２の中央処理ユニットとの間で有線方式によりデータを送受信し、前記制御表示部と前記本体とが分離されているときは、前記第１の無線通信ユニットと前記第２の無線通信ユニットとの間で無線方式によりデータを送受信することを特徴とする無線撮像装置が提供される。
【０００６】
また、前記本体は、第１のハウジングを有し、前記制御表示部は、第２のハウジングを有し、前記第１のハウジングには、前記第１の中央処理ユニット、前記第１の無線通信ユニット、前記第１のメモリユニット及び前記撮像ユニットが配置され、前記第２のハウジングには、前記第２の中央処理ユニット、前記第２の無線通信ユニット、前記第２のメモリユニット及び前記タッチパネル表示ユニットが配置され、前記本体と前記制御表示部とは、前記第１のハウジング及び前記第２のハウジングにより接続されることが好ましい。
【０００７】
また、前記第１のハウジングは、円柱状であることが好ましい。
【考案の効果】
【０００８】
本考案の無線撮像装置は、制御表示部により本体を無線制御しながら撮影することができる。
【図面の簡単な説明】
【０００９】
【図１】図１は、本考案の一実施形態による無線撮像装置を示す分解斜視図である。
【図２】図２は、本考案の一実施形態による無線撮像装置を示す斜視図である。
【図３】図３は、本考案の一実施形態による無線撮像装置を示すブロック図である。
【図４】図４は、本考案の一実施形態による無線撮像装置を実際に使用するときの状態を示す斜視図である。
【図５】図５は、本考案の一実施形態による無線撮像装置を実際に使用するときの状態を示す斜視図である。
【考案を実施するための形態】
【００１０】
以下、本考案の実施例について図に基づいて説明する。なお、これによって本考案が限定されるものではない。
【００１１】
図１〜図４を参照する。図１〜図４に示すように、本考案の一実施形態による無線撮像装置は、少なくとも本体１及び制御表示部２から構成される。
本体１は、第１の中央処理ユニット１１、第１の無線通信ユニット１２、第１のメモリユニット１３及び撮像ユニット１４を有する。第１の無線通信ユニット１２、第１のメモリユニット１３及び撮像ユニット１４は、第１の中央処理ユニット１１とそれぞれ電気的に接続されている。第１の中央処理ユニット１１は、各ユニットから送られてきた信号を受信して処理し、各ユニットへ制御信号を送る中央処理装置でもよい。
第１の無線通信ユニット１２は、例えば、無線ネットワーク、無線電波、Ｂｌｕｅｔｏｏｔｈ（登録商標）などを利用して外部の装置などとデータ通信を行う。
第１のメモリユニット１３は、データを一時的に記憶したり半永久的に記憶し、外部に記憶するデータ量を増やすためにＲＡＭ、ＲＯＭなどを用いてもよい。
撮像ユニット１４は、動的画像又は静止画像を撮影して記録するＣＣＤ又はＣＭＯＳでもよい。
制御表示部２は、第２の中央処理ユニット２１、第２の無線通信ユニット２２、第２のメモリユニット２３及びタッチパネル表示ユニット２４を有する。第２の無線通信ユニット２２、第２のメモリユニット２３及びタッチパネル表示ユニット２４は、第２の中央処理ユニット２１とそれぞれ電気的に接続される。第２の中央処理ユニット２１は、各ユニットから送信された信号を受信して処理し、各ユニットへ制御信号を送信する中央処理装置でもよい。
第２の無線通信ユニット２２は、例えば、Ｂｌｕｅｔｏｏｔｈ（登録商標）、無線電波などにより、外部の装置などとデータ通信を行う。
第２のメモリユニット２３には、データを一時的に記憶したり半永久的に記憶し、外部に記憶するデータ量を増やすためにＲＡＭ、ＲＯＭなどを用いてもよい。
タッチパネル表示ユニット２４は、撮像ユニット１４により撮影した画像と、撮影時の関連データとを同期で表示するために用いるタッチ式液晶表示パネルである。タッチパネル表示ユニット２４は、第１のメモリユニット１３内又は第２のメモリユニット２３内に記憶した画像及び画像に関するデータを表示し、ユーザがタッチ操作を行うことにより、タッチパネル表示ユニット２４を設定したり、本体１及び制御表示部２の機能を制御したりする。
【００１２】
これにより、制御表示部２と本体１とが接続されているときは、第１の中央処理ユニット１１と第２の中央処理ユニット２１とが有線方式により接続されてデータ通信を行い、ユーザは、制御表示部２を見ながら本体１が行う撮影を制御することができる。一方、制御表示部２と本体１とが分離されているときは、第１の無線通信ユニット１２と第２の無線通信ユニット２２とが無線方式（例えば、Ｂｌｕｅｔｏｏｔｈ（登録商標）、無線電波などの方式）によりデータ通信を行い、第１の中央処理ユニット１１と第２の中央処理ユニット２１との間でデータ通信を行うことにより、ユーザは、本体１から離れた場所で、制御表示部２に表示される画像を見ながら撮影を無線制御することができる。
【００１３】
上述の本体１は、第１のハウジング１９を有する。制御表示部２は、第２のハウジング２９を含む。第１のハウジング１９は、内側に配置された第１の中央処理ユニット１１、第１の無線通信ユニット１２、第１のメモリユニット１３及び撮像ユニット１４を固定して保護するために用いる。第２のハウジング２９は、内側に配置された第２の中央処理ユニット２１、第２の無線通信ユニット２２及び第２のメモリユニット２３を固定して保護するために用いる。タッチパネル表示ユニット２４は、第２のハウジング２９上に設置されて第２のハウジング２９を封止し、本体１と制御表示部２とは、第１のハウジング１９及び第２のハウジング２９により接続される。
【００１４】
上述の第１のハウジング１９は、簡便に収納できるように収納空間が小さい円柱状に形成することにより携帯したり握持したりする際の快適性及び利便性を高める。また、地面に落として損壊することを防ぐために、第１のハウジング１９の外側にゴム層１９６を形成し、防振性を高めるとともに握持時の摩擦力を高めてもよい。また、防水機能を得るために、第１のハウジング１９とその中に設置されたユニットとの間と、第２のハウジング２９とその中に設置されたユニットとの間と、第１のハウジング１９と第２のハウジング２９とが接続された箇所とに防水層（図示せず）をそれぞれ形成してもよい。
【００１５】
本考案の一実施形態による無線撮像装置は、着脱自在接続部３を有する。着脱自在接続部３は、一端が着脱自在に制御表示部２に接続され、第２の中央処理ユニット２１と電気的に接続され、他端が本体１の第１のハウジング１９に挿設されて挿入口１９４へ着脱自在に挿着するために用いる。
挿入口１９４は、第１のハウジング１９内に配置され、第１の中央処理ユニット１１と電気的に接続される。着脱自在接続部３により、制御表示部２を本体１の側面側に畳んで位置決めしたり、回転させて位置決めしたり、回動させて位置決めしたりしてもよい。この位置決め機能により、本体１に対して制御表示部２を自在に移動させ、使用する際の利便性を高めることができる。
制御表示部２を使用していないときは、本体１に隣接するように制御表示部２を畳んで位置決めすることにより、体積を小さくして便利に使用したり携帯したりすることができる。一方、制御表示部２を使用するときは、本体１に対して制御表示部２を回転させて位置決めすることができる。例えば、撮影対象物が撮影しづらい位置にある場合、ユーザは制御表示部２を回転させて位置決めし、制御表示部２をユーザの目の位置に合わせることにより撮影を便利に行うことができる。
また、着脱自在接続部３に係合機能を持たせることにより、制御表示部２を本体１へ安定的に接続させ、制御表示部２が本体１から不用意に外れて床又は地面に落ちて損壊してしまうことを防止することができる。
【００１６】
上述の第１のハウジング１９は、互いに接続可能な前段部ハウジング１９１、中段部ハウジング１９２及び後段部ハウジング１９３を有する。
中段部ハウジング１９２は、開口１９２１と、開口１９２１に枢着された蓋体１９２２とを有する。制御表示部２が本体１に接続されていないときは、開口１９２１を蓋体１９２２により覆うことにより挿入口１９４を保護することができる。制御表示部２を本体１に接続するときは、蓋体１９２２を開いてから、着脱自在接続部３を開口１９２１に通して挿入口１９４へ挿着させる。
【００１７】
上述の本体１は、発光ユニット１４１、レーザ光源１４２、第１の電力ユニット１５、制御ユニット１６、データ入出力ユニット１７、音声信号入出力ユニット１８及び第１の回路基板１９９を有する。
各ユニットは、第１の中央処理ユニット１１と電気的に接続され、各ユニット及び第１の回路基板１９９は、第１のハウジング１９に配置されている。
発光ユニット１４１は、撮像ユニット１４により昼間の撮影及び夜間の赤外線撮影ができるように、発光ダイオード（ＬＥＤ）又は赤外線光源でもよく、本実施形態では懐中電灯として使用することもできる。
レーザ光源１４２は、撮影対象物に向けて撮像ユニット１４により撮影したり、レーザーポインタとして使用したりすることもできる。
第１の電力ユニット１５は、内蔵型電池でもよいし、後段部ハウジング１９３の電池蓋１９３１を開いて第１のハウジング１９内に設置する電池でもよいし、外部電源でもよい。第１の電力ユニット１５は、本実施形態の全ての構成要素へ電気を供給することができる。
制御ユニット１６は、本実施形態の撮影を制御したり機能を設定したりするために用いる。また、制御ユニット１６には、本実施形態の電源をオン又はオフする電源スイッチ１６１が設けられている。
データ入出力ユニット１７は、データ（画像データ又は設定データ）を本実施形態の無線撮像装置へ入出力するために用いてもよい。
音声信号入出力ユニット１８は、音声信号を出力してユーザに聞かせたり、音声信号を第１のメモリユニット１３又は第２のメモリユニット２３へ入力して画像とともに記憶したりするために用いる。
第１の回路基板１９９上には、第１の中央処理ユニット１１、第１の無線通信ユニット１２、第１のメモリユニット１３、データ入出力ユニット１７及び挿入口１９４が配置されている。
【００１８】
上述の制御表示部２は、第２の電力ユニット２５及び第２の回路基板２９９を有する。
第２の電力ユニット２５は、第２の中央処理ユニット２１と電気的に接続されている。第２の電力ユニット２５及び第２の回路基板２９９は、第２のハウジング２９内に設置されている。第２の電力ユニット２５は、内蔵型電池でもよいし、第２のハウジング２９を開いて第２のハウジング２９内に配置された電池でもよい。第２の電力ユニット２５は、制御表示部２の全構成要素又は本実施形態の全構成要素へ電気を供給するために用いてもよい。
第２の回路基板２９９には、第２の中央処理ユニット２１、第２の無線通信ユニット２２、第２のメモリユニット２３及び第２の電力ユニット２５が配置されている。
【００１９】
図１と併せて図５を参照する。図１及び図５に示すように、本実施形態の第１のハウジング１９上には固定ユニット１９５が取り付けられている。固定ユニット１９５内には、固定フレーム４の雄ネジ部を接続させる雄ネジ部が設けられている。本実施形態の無線撮像装置は、固定フレーム４によりどの箇所にも固定することができるため、撮像時の安定性及び利便性を高めることができる。そのため、本実施形態はスチルカメラ又はビデオカメラとして使用することができる以外に、例えば、ドライブレコーダなどのその他の用途にも使用することができる。
【００２０】
上述したことから分かるように、本考案の無線撮像装置は、第１の無線通信ユニット及び第２の無線通信ユニットにより、制御表示部と本体との間でデータを無線方式により送受信し、制御表示部により本体を無線制御して撮影を行い、高い撮影機能を得ることができる。
【００２１】
当該分野の技術を熟知するものが理解できるように、本考案の好適な実施例を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１      本体
２      制御表示部
３      着脱自在接続部
４      固定フレーム
１１      第１の中央処理ユニット
１２      第１の無線通信ユニット
１３      第１のメモリユニット
１４      撮像ユニット
１５      第１の電力ユニット
１６      制御ユニット
１７      データ入出力ユニット
１８      音声信号入出力ユニット
１９      第１のハウジング
２１      第２の中央処理ユニット
２２      第２の無線通信ユニット
２３      第２のメモリユニット
２４      タッチパネル表示ユニット
２５      第２の電力ユニット
２９      第２のハウジング
１４１      発光ユニット
１４２      レーザ光源
１６１      電源スイッチ
１９１      前段部ハウジング
１９２      中段部ハウジング
１９３      後段部ハウジング
１９４      挿入口
１９５      固定ユニット
１９６      ゴム層
１９９      第１の回路基板
２９９      第２の回路基板
１９２１      開口
１９２２      蓋体
１９３１      電池蓋
【図１】
0003174361.tif 000003
【図２】
0003174361.tif 000004
【図３】
0003174361.tif 000005
【図４】
0003174361.tif 000006
【図５】
0003174361.tif 000007